(57)【要約】 【課題】  キャビティ内部へ異物が進入することを防ぐ雄端子金具を提供する。【解決手段】  雄端子金具１の本体部である角筒部４の外面には、キャビティ内に設けられたランスと係止可能な係止縁１５が、雄端子金具１の全幅に亘って形成されている。この係止縁１５は、角筒部４の外面を開口することなく、係止縁１５より一段低い位置に塞ぎ片１２が設けられている。これによって、外部から異物が進入したり、或いは雄端子金具１の先端部分が進入して変形する等の不具合が回避可能である。【選択図】  図１
2006216319.tif 000002
【特許請求の範囲】
【請求項１】
コネクタハウジングのキャビティ内に挿入可能であって、底面部から一対の側面部が対向状態となるように折り曲げられ、一方の側面部から底面部と対向するように上面部が折り曲げられることで形成された角筒部の側面のうち、いずれかの面にはキャビティ内に設けられたランスと係止可能な係止縁が設けられた端子金具において、
前記角筒部におけるいずれかの面には、前後一対の切り込みが幅方向に沿って切り込まれ、かつ両切り込みはこのいずれかの面の全幅を越え、さらに同面と隣接する両面の所定長さにまで及ぶ範囲に亘って形成され、かつこれら両切り込みによって挟まれた領域を、前記いずれかの面の高さより前記角筒部の内方へ一段下げて位置させて塞ぎ片とし、かつこの塞ぎ片が角筒部よりも一段下げられたことによって露出される角筒部側の端縁のうち、端子金具の挿入方向前方に位置する側が前記ランスに対する係止縁となっていることを特徴とする端子金具。
【請求項２】
前記塞ぎ片は、前記両側面部からそれぞれ対向状に対をなして折り曲げられ、それぞれの先端縁がほぼ突き合わせ状態となっていることを特徴とする請求項１記載の端子金具。
【発明の詳細な説明】
【技術分野】
【０００１】
本発明は、端子金具の構造に関する。
【背景技術】
【０００２】
従来、抜け止め機能を備えた雄端子金具の一般的構造としては、下記特許文献１に示したものが知られている。この雄端子金具は角筒形状の本体部を備えており、本体部の上面にはランスホールが形成されており、突出形状のランスが嵌合することで抜け止めされる。また、ランスホールの挟む両側面の上縁から一対のスタビライザが突設されており、上下反転等、キャビティへの誤挿入を防止している。
【特許文献１】特開２０００−６７９７８公報
【発明の開示】
【発明が解決しようとする課題】
【０００３】
スタビライザは、本体部の一部を切り起こして形成され、切り起こされた後の貫通孔をそのままランスホールの一部として使用することが多い。ところが雄端子金具は、使用前においては束にして扱われることが多く、このとき、一方の雄端子金具の先端部分が他方の雄端子金具のランスホールに侵入して、端子を変形させたり、本体部内部に異物を持ち込むなどの不具合が発生している。本発明は上記のような事情に基づいて完成されたものであって、ランスホールへの異物進入を防止することを目的とする。
【課題を解決するための手段】
【０００４】
上記の目的を達成するための手段として、請求項１の発明は、コネクタハウジングのキャビティ内に挿入可能であって、底面部から一対の側面部が対向状態となるように折り曲げられ、一方の側面部から底面部と対向するように上面部が折り曲げられることで形成された角筒部の側面のうち、いずれかの面にはキャビティ内に設けられたランスと係止可能な係止縁が設けられた端子金具において、前記角筒部におけるいずれかの面には、前後一対の切り込みが幅方向に沿って切り込まれ、かつ両切り込みはこのいずれかの面の全幅を越え、さらに同面と隣接する両面の所定長さにまで及ぶ範囲に亘って形成され、かつこれら両切り込みによって挟まれた領域を、前記いずれかの面の高さより前記角筒部の内方へ一段下げて位置させて塞ぎ片とし、かつこの塞ぎ片が角筒部よりも一段下げられたことによって露出される角筒部側の端縁のうち、端子金具の挿入方向前方に位置する側が前記ランスに対する係止縁となっている構成としたところに特徴を有する。
【０００５】
請求項２の発明は、請求項１に記載のものにおいて、前記塞ぎ片は、前記両側面部からそれぞれ対向状に対をなして折り曲げられ、それぞれの先端縁がほぼ突き合わせ状態となっているところに特徴を有する。
【発明の効果】
【０００６】
＜請求項１の発明＞
請求項１の発明によると、ランスに対する係止縁の幅を雄端子金具のほぼ全幅に亘って確保することができ、かつ切り込みを設ける長さ範囲を調整することで塞ぎ片の高さ位置を自在に調節することができる。このことにより、ランスとの係止深さを十分に確保することができる。しかも、雄端子金具におけるランスとの係止部位には開口を生じさせないため、異物の進入を規制することが可能となる。
【０００７】
＜請求項２の発明＞
請求項２の発明によると、塞ぎ片が両側面部から折り曲げ形成されていることから、一方の側面部から折り曲げ形成されているものに比べると、塞ぎ片の長さが短くなり、その分曲げ強度が高まることから、外力による変形が生じにくくなる。
【発明を実施するための最良の形態】
【０００８】
＜実施形態１＞
本発明の実施形態１を図１ないし図１０によって説明する。上下方向とは図１における上下方向を基準とし、前後方向とは図１における左右方向を基準として、右側を前方向とし、左右方向とは図１における紙面と直交する向きを基準として、紙面手前を左方向とし、図１０における幅方向とは図１０における上下方向とする。
【０００９】
実施形態１における雄端子金具１は、図１０に示す展開形状の金属平板を曲げ加工して成形されたもので、電線Ｗ（図示しない）の被覆部を圧着するインシュレーションバレル部２と、その被覆部から剥き出された芯線を圧着するワイヤバレル部３によって電線Ｗと接続されている。雄端子金具１の前半部には、角筒部４とその前端から端子接触部５が前方に向けて突き出た形状で形成されており、後半部には、上記の両バレル部２，３がそれぞれ配されている。
【００１０】
角筒部４は、図３に示すように、底面部６から一対の側面部７，８が対向状態となるように折り曲げされた後、両側面部７，８の内、後述する密着折り曲げ部２１を含む側の側面部７を直角に折り曲げして形成された上面部９を有し、全体として前後に長い角筒形状をなしている。また、角筒部４より前方部分は雌端子金具（図示しない）と接続される端子接触部５が連続しており、側方へ開口するようなＵ字状に加工がされている。
【００１１】
角筒部４の後部において一方の側面部（図３における８）の下縁からはスタビライザ２０が、下方に突出形成されている。このスタビライザ２０は、上下反転等、雄コネクタハウジングのキャビティ内への誤挿入を防止するために使用され、雄コネクタハウジング内に設けられたガイド溝（図示しない）に合うようにして、雄端子金具１を挿入する。スタビライザ２０は、まず、展開形状において、側面部８から底面部６にかけて、コの字のスリットが切り込まれ、かつ、同スタビライザ２０は、これが設けられている側の側面部８を底面部６から曲げ起こす際の曲げ縁２７上に、上記したスリットの両端が位置するように設定されている。このことによって、側面部８を曲げ加工することに伴って、同時に曲げられ、その結果、スタビライザ２０は側面部８と面一をなして、底面部６の下方へ突出することになる。上記のようにしてスタビライザ２０が切り起こされると、底面部６における切り起こし箇所には、スタビライザ２０の形状に適合した切り出し孔２２が残る。この実施形態においては、切り出し孔２２は密着折り曲げ部２１によって塞がれ、外部から異物等の進入が規制されるようになっている。
【００１２】
この密着折り曲げ部２１は、雄端子金具１の展開時においては、角筒部４の上面部９における後部（スタビライザ２０を形成するためのスリットと幅方向に対応した位置）に接続片２４を介して連結し、前後方向に沿って延設されている。また、密着折り曲げ部２１の後端側は、角筒部４の後端よりさらに後方へ延出してカバー片２３となっている。一方、密着折り曲げ部２１の先端側は、角筒部４の前端と同位置に設定されている。密着折り曲げ部２１の折り曲げにあたり、まず前半部が、図１０に示す曲げ縁２５を中心として紙面手前側へ１８０°密着折り曲げされる。このときの２枚重ねされた部分の前後長は、スタビライザ２０を形成することによって表れる切り出し孔２２の前後長とほぼ等しくなるように設定されている。上記折り曲げの後（或いはこれに先立って）、接続片２４における長手方向を中心として紙面手前側へ９０°曲げ起こされる。また、カバー片２３は、図１０における曲げ縁２６を中心として紙面手前側へ９０°曲げ起こされる。その結果、カバー片２３は、角筒部４の後端開口に位置し、ここを塞ぐことができる。かくして密着折り曲げ部２１は、２枚重ねされた部分の両端縁部のほぼ全長さ範囲が、スタビライザ２０の切り出し孔２２に位置し、同切り出し孔２２のほぼ全面を塞ぐことができる。
【００１３】
次に、角筒部４におけるランス係止部位の構造を説明する。図１０に示すように、底面部６の前端寄りには、略Ｈ字形状の打ち抜き孔１１が設けられ、その内部には一対の塞ぎ片１２，１２が対向して形成されている。この打ち抜き孔１１の幅方向の範囲は、底面部６から両側面部７，８の一部にまで及ぶ範囲としてある。両塞ぎ片１２，１２は、付け根部分を折り曲げ縁１３，１３として、図１０における紙面手前側へ９０°折り曲げられる。このときの折り曲げ縁１３，１３は、両側面部７，８の折り曲げ縁２７，２８より幅方向外側に位置するように設定されている。このようにして折り曲げられた結果、両塞ぎ片１２，１２の外面は底面部６の外面より一段低く（底面部６の肉厚寸法分よりやや大きめ）位置する。これにより、打ち抜き孔１１の前縁は、その全幅に亘って露出し、ランス（図示しない）に係止可能な係止縁１５となる。また、両塞ぎ片１２，１２は、雄端子金具１の展開時には、先端縁同士は所定寸法だけ離間しているが、雄端子金具１の組み立て後には、ほぼ隙間なく対向可能であり、これにより異物の進入を回避することができる。
【００１４】
以上のように、本実施形態においては、底面部６から両側面部７，８の一部にかけて打ち抜き孔１１を設け、なおかつその内部に一対の塞ぎ片１２，１２を対向して形成したから、開口を設けることなくランスと係止可能な係止縁１５が形成可能となり、角筒部４内部に異物が進入することを規制可能とした。その結果、雄端子金具１を束にして扱っても、端子接触部５の先端部分が角筒部４内部に進入して、変形するなどの不具合がない。また、スタビライザー２０を形成することに伴って生じた切り出し孔２２および角筒部４の後端開口についても、あらかじめ角筒部４内部に形成された密着折り曲げ部２１およびカバー片２３によって塞がれた形状としたから、角筒部４内部に端子接触部５および異物が進入するおそれがない。
【００１５】
なお、本実施形態において例示した雄端子金具１は小型端子を想定しており、ランスとの係止力を確保するため、係止縁１５については、出来るだけ深く、かつ幅広く形成することが必要とされる。そのため、係止縁１５を角筒部４の側面に全幅に亘るような大きな開口を設けることが望ましい。しかし、その開口から異物が進入してしまう。そこで大きな開口を設けることに代えて、本実施形態に例示した雄端子金具１以外にも、角筒部４の側面のうち、いずれか一つの面を２枚重ね構造とし、外側１枚のうち一部を全幅に亘って除去することで、係止縁１５を形成する方法も考えられる。しかしながら、この方法によると、２枚重ね構造をとるため１枚の板厚分低背化に反する点において本実施形態よりも不利である。その点、本実施形態によれば、ランスに対する係止縁１５の幅を雄端子金具１のほぼ全幅に亘って確保することができ、かつ塞ぎ片１２の高さ位置を自在に調節することで、ランスとの係止深さを十分に確保することができる。しかも、雄端子金具１におけるランスとの係止部位には開口を生じさせないため、異物の進入を規制することが可能となる。
【００１６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００１７】
（１）実施形態１においては、係止縁が底面部に形成されたものを例示したが、場所は特に限定されず、上面部あるいは側面部に形成してもよい。
【００１８】
（２）実施形態１においては、雄端子金具に係止縁が形成されたものを例示したが、雌端子金具に形成されたものにも適用可能である。
【００１９】
（３）実施形態１においては、塞ぎ片が側面部の両側から対向して設けられたものを示したが、一方の側面部のみから架設する形態でもよい。
【００２０】
（４）実施形態１では、スタビライザを形成することにより生じた開口を密着折り曲げ部の端縁を臨ませることによって塞いだが、板面を開口に臨ませるようにすれば密着曲げの必要がない。ただし、本実施形態のように密着折り曲げ部を、雄端子金具の展開時において角筒部と前後方向に並列した形態としたものでは、材料取りの効率を上げることができる。
【００２１】
（５）実施形態１では、カバー片を密着折り曲げ部に形成したが、角筒部側に形成してもよい。
【図面の簡単な説明】
【００２２】
【図１】本実施形態における雄端子金具の左側面図
【図２】そのII−II線断面図
【図３】そのIII−III線断面図
【図４】その正面図
【図５】その底面図
【図６】その右側面図
【図７】その平面図
【図８】その縦断面図
【図９】そのIX−IX線一部破断平面図
【図１０】その展開図
【符号の説明】
【００２３】
１…雄端子金具
４…角筒部
６…底面部
７…側面部
８…側面部
９…上面部
１２…塞ぎ片
１５…係止縁
【図１】
2006216319.tif 000003
【図２】
2006216319.tif 000004
【図３】
2006216319.tif 000005
【図４】
2006216319.tif 000006
【図５】
2006216319.tif 000007
【図６】
2006216319.tif 000008
【図７】
2006216319.tif 000009
【図８】
2006216319.tif 000010
【図９】
2006216319.tif 000011
【図１０】
2006216319.tif 000012